(57)【要約】【課題】無負荷時やエミレス状態等、ランプが正常に点灯しない場合に、インバータの発振停止中においてもインバータ制御ＩＣや照度補正装置、外部入力部などで消費されていた電力ロスを低減し、省エネルギー性を高める。【解決手段】放電灯Ｌａを高周波で点灯させるインバータ回路２と、上記インバータ回路２のスイッチング素子を駆動制御させるインバータ制御ＩＣ３と、放電灯Ｌａの出力を調光制御する照度補正装置４と、外部からの信号を入力して照度補正装置４に伝達する外部入力部５と、負荷の異常を検出する負荷異常検出回路６とを備えた放電灯点灯装置において、負荷異常検出回路６による異常検出出力を受けてインバータ制御ＩＣ３と照度補正装置４と外部入力部５のいずれかに対する電源供給を遮断する電源遮断手段を設けた。【選択図】図１
2005071840.tif 000002
【特許請求の範囲】
【請求項１】
放電灯を高周波で点灯させるインバータ回路と、上記インバータ回路のスイッチング素子を駆動制御させるインバータ制御ＩＣと、放電灯の出力を調光制御する照度補正装置と、外部からの信号を入力して照度補正装置に伝達する外部入力部と、負荷の異常を検出する負荷異常検出回路とを備えた放電灯点灯装置において、負荷異常検出回路による異常検出出力を受けてインバータ制御ＩＣと照度補正装置と外部入力部のいずれかに対する電源供給を遮断する電源遮断手段を設けたことを特徴とする放電灯点灯装置。
【請求項２】
請求項１において、電源遮断手段は負荷異常検出回路による異常検出出力を受けてインバータ制御ＩＣと照度補正装置への電源供給を遮断することを特徴とする放電灯点灯装置。
【請求項３】
請求項１において、電源遮断手段は負荷異常検出回路による異常検出出力を受けて外部入力部への電源供給を遮断することを特徴とする放電灯点灯装置。
【請求項４】
請求項１において、電源遮断手段は負荷異常検出回路による異常検出出力を受けて照度補正装置と外部入力部への電源供給を遮断することを特徴とする放電灯点灯装置。
【請求項５】
請求項１において、電源遮断手段は負荷異常検出回路による異常検出出力を受けてインバータ制御ＩＣと外部入力部への電源供給を遮断することを特徴とする放電灯点灯装置。
【請求項６】
請求項１において、電源遮断手段は負荷異常検出回路による異常検出出力を受けてインバータ制御ＩＣと照度補正装置と外部入力部への電源供給を遮断することを特徴とする放電灯点灯装置。
【請求項７】
請求項３又は５において、負荷異常検出回路の出力に接続された照度補正装置が負荷異常を検出し、電源供給を遮断することを特徴とする放電灯点灯装置。
【請求項８】
請求項１、３又は４において、負荷異常検出回路の出力に接続されたインバータ制御ＩＣが負荷異常を検出し、電源供給を遮断することを特徴とする放電灯点灯装置。
【請求項９】
請求項１〜６のいずれかにおいて、負荷異常検出回路はインバータ制御ＩＣと照度補正装置と外部入力部の制御電源を供給する電源回路であり、負荷異常検出時には電源供給を遮断することを特徴とする放電灯点灯装置。
【請求項１０】
請求項９において、負荷異常検出回路は放電灯の有無を検出する無負荷検出回路であり、放電灯が接続されているときに、放電灯のフィラメントを介してインバータ制御ＩＣと照度補正装置と外部入力部の制御電源を供給し、放電灯が接続されていないときには電源供給を遮断することを特徴とする放電灯点灯装置。
【請求項１１】
請求項１〜１０のいずれかにおいて、インバータ制御ＩＣと照度補正装置と外部入力部の制御電源は、ハーフブリッジインバータ回路の低圧側スイッチング素子と並列に接続されたスナバーコンデンサに流れる電流から供給されることを特徴とする放電灯点灯装置。
【発明の詳細な説明】
【技術分野】
【０００１】
本発明は、交流電圧を直流電圧に平滑し、その直流電圧を高周波電圧に変換し、負荷回路に供給する放電灯点灯装置に関するものである。
【背景技術】
【０００２】
一般に照明用として用いられている放電灯（以下放電灯をランプと表現する。）の光束は使用開始直後は定格よりも高く、その後徐々に低下していくことが知られている。つまり、ランプの使用時間の経過と共に照度が低下する。このランプの使用時間の経過に伴う照度低下を抑制する技術として、初期照度補正と呼ばれるものがある。これはランプの点灯初期における余分な照度を抑え、点灯時間の経過に伴って徐々に出力を上げていくことにより、常に同一照度の照明装置を提供するというものである。しかも、点灯初期においてはランプの余分な照度を抑えるため、省エネルギーを図ることもできる。例えば特開２００１−１５２７６号（特願平１１−１８０８８４号）や特開２００２−４３０８６号（特許文献１）において、この技術を用いた放電灯点灯装置が提案されている。
【０００３】
図１０に上記技術を用いた具体回路例の構成を示す。図１０の放電灯点灯装置にはインバータ回路を用いたものを採用している。すなわち、商用電源ＡＣの電源電圧を全波整流するダイオードブリッジよりなる整流器ＤＢ１を備え、整流器ＤＢ１の直流出力端間にはインダクタＬ１を介してＭＯＳＦＥＴよりなるスイッチング素子Ｑ１が接続される。さらにスイッチング素子Ｑ１の両端間にはダイオードＤ１と平滑コンデンサＣ１との直列回路が接続され、この平滑コンデンサＣ１を電源としてインバータ回路が駆動されるようになっている。インバータ回路は平滑コンデンサＣ１の両端間に接続されたＭＯＳＦＥＴからなる一対のスイッチング素子Ｑ２、Ｑ３の直列回路を備え、一方のスイッチング素子Ｑ３の両端間には、直流カット用のコンデンサＣ２と共振用のインダクタＬ２とランプＬａとの直列回路が接続された構成を有する。また、ランプＬａの両フィラメントＦ１，Ｆ２の非電源側端子間にはインダクタＬ２と共に共振回路を構成するコンデンサＣ３が接続される。
【０００４】
ここで、インダクタＬ２には二次巻線Ｌ２−１が巻かれており、二次巻線Ｌ２−１はダイオードＤ２、抵抗Ｒ３を介して平滑コンデンサＣ４に接続されており、この平滑コンデンサＣ４と並列にツェナーダイオードＺＤ１が接続されている。平滑コンデンサＣ４の高圧側はインバータ制御ＩＣ３に接続されて制御電源Ｖｃｃ１を供給すると共に、三端子レギュレータＲＧ１を介して照度補正装置４及び外部入力部５に接続されて、各々の制御電源Ｖｃｃ２，Ｖｃｃ３を供給している。また、平滑コンデンサＣ１の両端間には抵抗Ｒ１、Ｒ２、スイッチＳ１の直列回路が接続されており、スイッチＳ１と抵抗Ｒ２の接続点は平滑コンデンサＣ４に接続されている。
【０００５】
さらに、スイッチング素子Ｑ１〜Ｑ３のゲート端子はインバータ制御ＩＣ３と接続されており、インバータ制御ＩＣ３からの制御信号によりスイッチング素子Ｑ１〜Ｑ３がオン・オフされる構成となっている。ここで、電源投入後にスイッチング素子Ｑ１〜Ｑ３は高周波でオン・オフされ、スイッチング素子Ｑ２、Ｑ３は交互にオン・オフされる。また、インバータ制御ＩＣ３には照度補正装置４から調光信号が入力されており、照度補正装置４の内部で決定された調光比に応じて、スイッチング素子Ｑ２、Ｑ３のオン・オフの周期（つまり周波数）を制御することにより、ランプＬａに供給する電力を調整するようになっている。さらに、インバータ制御ＩＣ３の出力はスイッチＳ１にもつながっており、電源オフ時及びインバータ停止時にはスイッチＳ１をオンさせ、インバータ発振時はスイッチＳ１をオフする制御を行う。
【０００６】
図１０に示したインバータ回路の動作は周知のものであり、インダクタＬ１とスイッチング素子Ｑ１とダイオードＤ１と平滑コンデンサＣ１とにより構成された昇圧チョッパ回路により、整流器ＤＢ１からの出力電圧を昇圧し、スイッチング素子Ｑ２、Ｑ３を交互にオン・オフさせることによりランプＬａに交番電流を流している。ここで、ランプＬａヘの給電経路にはインダクタＬ２とコンデンサＣ３が存在するから、スイッチング素子Ｑ１、Ｑ２の周期（動作周波数）とインダクタＬ２及びコンデンサＣ３などによる共振周波数との関係によって、ランプＬａへ供給するエネルギーを調整することができる。
【０００７】
一方、照度補正装置４はマイクロコンピュータで構成され、ランプＬａの点灯時間をカウントするタイマー部、タイマー部により計時された時間を読み書きするとともに、初期照度補正に用いる補正用テーブルを格納したメモリ部、各情報をもとに調光比を設定する調光比設定部、インバータ制御ＩＣへの調光信号を生成する調光信号生成部、外部入力部からの入力信号を読み込み、読み込んだ入力信号に応じてインバータの出力を適宜に変化させる外部入力制御部により構成されている。
【０００８】
ここで、タイマー部は、例えば平滑コンデンサＣ４の両端電圧が規定電圧以上の時に、ランプが点灯しているものと判断して点灯時間をカウントする。また、補正用テーブルはランプの使用時間と補正用の調光比とを対応付けたテーブルであり、マイコン内部に設けた調光比設定部においてタイマー部により計時された使用時間を用いてメモリー部から補正用テーブルによる調光比を読み出すことにより、ランプの照度を略一定に保つための調光比を決定することができる。外部入力制御部は外部入力部からの信号を受け取る待機状態になっており、外部入力部から信号を受け取ると、「停止」、「出力変動」などの制御信号を調光信号設定部に与える。調光比設定部は以上の情報を組み合わせることにより、最終的にランプを点灯させる調光比を決定する。調光比設定部により決定した調光比は調光信号生成部に与えられ、インバータ制御ＩＣへ伝達する調光信号が生成される。
【０００９】
つまり、商用電源ＡＣが投入され、平滑コンデンサＣ４の両端電圧が規定電圧以上に達すると、タイマー部は上述した初期設定処理を行って、メモリー部より前回までのランプの使用時間を読み出し、読み出した時間のデータを調光比設定部に与える。すると、調光比設定部ではメモリー部に格納されている補正用テーブルにランプの使用時間を照合し、使用時間に対応した調光比を読み出す。このようにして読み出された調光比と外部入力制御部により読み込まれた制御信号は調光信号生成部に与えられ、インバータ回路の出力が決定される。また、タイマー部では使用時間を計時し、計時後の時間をメモリー部に記憶させる。以降は商用電源ＡＣが供給されている期間には使用時間をメモリー部から読み出して新たな使用時間をメモリー部に書き込むまでの動作を繰り返し、使用時間に応じてランプへの供給電力を調整していく。
【００１０】
次に、本従来例における制御電源の供給手段について説明する。本従来例においては電源起動時及びインバータ停止時はインバータ制御ＩＣ３によってスイッチＳ１がオンされているため、商用電源ＡＣを整流器ＤＢ１によって整流した電圧が抵抗Ｒ１とＲ２によって分圧され、平滑コンデンサＣ４に制御電源Ｖｃｃ１が供給される。この制御電圧Ｖｃｃ１を電源としてインバータ制御ＩＣ３が動作する。一方、照度補正装置４、外部入力部５の制御電源はＶｃｃ１よりも低い電圧で動作するため、この制御電圧Ｖｃｃ１を、三端子レギュレータＲＧ１にて、照度補正装置４の制御電圧Ｖｃｃ２並びに外部入力部の制御電圧Ｖｃｃ３に変圧して、各部に電源が供給される。ここで各部分に制御電源が供給されると、上に述べたシーケンスを経てインバータが発振を開始する。
【００１１】
インバータ動作開始後は共振用インダクタＬ２の二次巻線Ｌ２−１に電圧が励起され、この電圧がダイオードＤ２、抵抗Ｒ３を介して、インバータ制御ＩＣ３、照度補正装置４、外部入力部５の制御電源として平滑コンデンサＣ４に充電される。なお、インバータ発振開始後は上述のようにインバータ制御ＩＣ３がスイッチＳ１をオフさせることにより、抵抗Ｒ１、Ｒ２における電力損失を防止している。
【特許文献１】特開２００２−４３０８６号公報
【発明の開示】
【発明が解決しようとする課題】
【００１２】
上述の従来例においては、制御部への制御電源の供給のために、インバータの共振用インダクタＬ２の二次巻線Ｌ２−１と平滑コンデンサＣ１の分圧という２種類の手段を設けている。これはインバータの発振停止時にはインバータの共振用インダクタＬ２の二次巻線Ｌ２−１からの電源供給が遮断されるが、電源投入時や無負荷発振停止からの再起動時など、インバータ発振停止時においても、インバータ制御ＩＣ３を動作させる必要があるためであり、常時制御電源を供給することのできる手段として、商用電源ＡＣの投入と同時に電源が供給される平滑コンデンサＣ１からの制御電源供給回路を設けているものである。
【００１３】
しかしながら、無負荷状態や負荷が寿命末期状態の場合など、正常にランプが点灯することのできない状態においてはインバータ制御ＩＣ３、照度補正装置４、外部入力部５などを動作させる必要はなくなってくる。上述の従来例においては、インバータの発振停止時にこれら制御部への電源供給を行うため、結局はこれら制御部において無駄な電力を消費してしまう結果となっている。また、上述の従来例においては平滑コンデンサＣ４の電圧が規定電圧以上である時間をランプの点灯時間としてカウントするため、もし負荷が抜けている場合でもコンデンサＣ４の電圧が規定電圧以上であれば、点灯時間としてカウントしてしまう。このため、無負荷のまま電源を供給されている時間が延びれば延びるほど、ランプが点灯されていないにも関わらず、照度補正装置４のタイマー部において点灯時間がカウントされていくため、補正用テーブルによる調光比と実際の調光比とがかけ離れてしまう恐れが出てきてしまう。
【００１４】
上述の従来例における正常点灯時における動作を簡略的に表すと図１１に示すようになる。正常に放電灯（ランプ）が接続されている場合、電源が投入されるとインバータ制御ＩＣ３、照度補正装置４（マイコン）、外部入力部５に動作を開始するための制御電源が供給される。すると、インバータ制御ＩＣ３は外部入力部５からの検知信号を受けて照度補正装置４の内部にて生成された調光信号をもとに、チョッパ回路１のスイッチング素子並びにインバータ回路２のスイッチング素子を駆動させる。すると、チョッパ回路１、インバータ回路２が動作を開始し、入力電源は一旦、直流に変換された後、高周波に変換され放電灯Ｌａに供給され、放電灯Ｌａが点灯する。
【００１５】
次に、上述の従来例の異常時における動作を簡略的に表すと図１２に示すようになる。図１２に示すように放電灯が「外される」、「寿命末期状態になる」といった異常状態になると、異常検出回路６によって検出電圧がインバータ制御ＩＣ３に伝達される。インバータ制御ＩＣ３の内部ではあらかじめ、しきい値が設定されており、このしきい値をまたぐ電圧が入力されると、チョッパ回路１のスイッチング素子並びにインバータ回路２のスイッチング素子の発振を停止し、チョッパ回路１とインバータ回路２の動作を停止させる。この時、インバータ制御ＩＣ３（例えばＨＶＩＣ）、照度補正装置４（マイコン）、外部入力部５（例えばセンサー）は入力電源からの制御電源が供給され続けるため、正常な放電灯が接続されるまで、待機状態を維持する。このことから、放電灯が点灯していないにも関わらず、インバータ制御部３、照度補正装置４、外部入力部５には制御電源が供給され続けることになるため、無駄な電力を消費してしまうことになる。
【課題を解決するための手段】
【００１６】
本発明は上記の課題を解決するためになされたものであり、インバータ制御ＩＣ３、照度補正装置４、外部入力部５を搭載した放電灯点灯装置において、放電灯Ｌａが正常に点灯することのできない場合に、インバータ制御ＩＣ３、照度補正装置４、外部入力部４のうち何れかもしくは任意の２つの組合せ、もしくは全ての電源供給を遮断することにより、これら制御部での待機電力を抑え、待機時におけるインバータの消費電力を低減することで省エネルギーに貢献するものである。
【００１７】
具体的には図１に示すように異常検出回路６の信号によって放電灯Ｌａの異常をインバータ制御ＩＣ３が受けると、チョッパ回路１のスイッチング素子及びインバータ回路２のスイッチング素子を停止させるのと同時に、照度補正装置４及び外部入力部５への制御電源の供給を遮断するような制御を行う。
【００１８】
あるいは図２に示すように異常検出回路６の信号によって放電灯Ｌａの異常を照度補正装置４（マイコン）が受け、マイコンがインバータ制御ＩＣ３及び外部入力部５（ここではセンサーとする）への制御電源の供給を遮断することにより、インバータ制御ＩＣ３の動作が停止し、チョッパ回路１のスイッチング素子及びインバータ回路２のスイッチング素子の駆動が停止する。また、同時にセンサーも動作を停止する。
【００１９】
さらには図３に示すように放電灯Ｌａの異常を検知する異常検出回路６が異常を検出すると、直接制御電源の供給を遮断することにより、インバータ制御ＩＣ３、照度補正装置４、外部入力部５の動作を停止させる。
【００２０】
または図４に示すようにインバータ制御ＩＣ３、照度補正装置４、外部入力部５への制御電源供給回路に放電灯Ｌａのフィラメントを介するような構成とすることにより、もし負荷が抜けて無負荷となった場合に制御電源供給が遮断され、インバータ制御ＩＣ３、照度補正装置４、外部入力部５が動作を停止する、といった手段で消費電力を抑える。
【００２１】
図１〜図４において制御電源を遮断するのは何れか一つでも構わないが、多ければ多い程より消費電力を抑えることができるため、効果は大きい。以上のような手段を用いることにより、異常時における制御部での消費電力を抑えることが本発明の要旨である。
【発明の効果】
【００２２】
本発明によれば、無負荷時やエミレス状態等、ランプが正常に点灯しない場合に、インバータ制御ＩＣ、照度補正装置、外部入力部への電源供給を遮断するという構成にしたことにより、従来、インバータの発振停止時にインバータ制御ＩＣ、照度補正装置、外部入力部において消費していた電力ロスを低減でき、省エネルギーに対する貢献度を高めることができる。
【発明を実施するための最良の形態】
【００２３】
本発明を実施するための最良の形態を図５に示す。図５の基本構成並びに回路動作については従来例と同様のため重複する説明は省略する。この実施の形態においては、制御電源の供給手段として昇圧チョッパ回路のインダクタＬ１の二次巻線Ｌ１−１を利用しており、二次巻線Ｌ１−１に発生した電圧をダイオードＤ２、抵抗Ｒ３を介して制御電源Ｖｃｃ１に供給している。また、従来例の構成に加えて、制御電源のコンデンサＣ４の両端間に抵抗Ｒ８とコンデンサＣ６の直列回路が接続されている。また、スイッチング素子Ｑ２、Ｑ３の直列回路の両端間には、抵抗Ｒ４とランプＬａの低圧側フィラメントＦ２の直列回路が接続されており、抵抗Ｒ４とフィラメントＦ２の接続点Ａには抵抗Ｒ５とＲ６の直列回路が接続されている。また、抵抗Ｒ６と並列にコンデンサＣ５が接続されており、抵抗Ｒ５と抵抗Ｒ６の接続点はＮＰＮ型トランジスタＱ５のベースに接続されている。ここで、トランジスタＱ５のコレクタは抵抗Ｒ７を介して抵抗Ｒ８とコンデンサＣ６の接続点に接続されており、この接続点はインバータ制御ＩＣ３の無負荷検出部に接続されている。そしてこれらにて無負荷検出回路が構成されている。
【００２４】
無負荷検出回路の動作について説明する。抵抗Ｒ４、Ｒ５、Ｒ６の抵抗値はフィラメントＦ２の抵抗値に比べて十分に大きい値に設定する。ランプＬａが接続されている場合、つまり、フィラメント抵抗Ｆ２が接続されている場合、抵抗Ｒ５、Ｒ６の直列回路と並列にフィラメント抵抗Ｆ２が接続されるため、抵抗Ｒ４とＲ５の接続点Ａの電圧は略ゼロに落ちる。このため、トランジスタＱ５はオフし、インバータ制御ＩＣ３の無負荷検出部には抵抗Ｒ８を介してある程度の電圧が印加される。ここで、インバータ制御ＩＣの内部には、あらかじめしきい値が設定されており、このしきい値を超える電圧が印加されている時は負荷が接続されているものと判断してインバータの発振を継続する。しかしながら、ランプＬａが抜けた場合（ここではフィラメントＦ２が接続されていない場合）には、Ａ点の電圧が上昇し、トランジスタＱ５がオンし、インバータ制御ＩＣ３の無負荷検出部の電圧はしきい値以下に低下する。これによりインバータ制御ＩＣ３は負荷が外れたものと判断し、昇圧チョッパ回路とインバータの発振を停止する。と同時にインバータ制御ＩＣ３は負荷が外れたと判断した場合、Ｖｃｃ１からレギュレータＲＧ１を介して照度補正装置４に供給している制御電源Ｖｃｃ２のスイッチＳ３をオフさせる信号を出力する。これにより無負荷時は照度補正装置４への制御電源の供給を遮断し、照度補正装置４での電力消費を抑制する。また、照度補正装置４が停止しているため、仮に無負荷時にコンデンサＣ４の電圧が規定以上であっても、時間をカウントすることがないため、実際のランプ点灯時間とタイマー部のカウント時間との誤差を少なくすることも実現できた。
【００２５】
なお、本例においては、点灯時の制御電源の供給手段をチョッパ回路のインダクタの二次巻線から供給する手段を用いているが、これはインバータ共振回路用のインダクタの二次巻線から供給しても良いし、インバータ回路の低圧側スイッチング素子のスナバーコンデンサから供給してもよい。さらに、負荷の異常を検出するのに、無負荷検出回路を設ける例について述べたが、これは寿命末期検出回路を設けてもよい。さらに本例では照度補正装置４への制御電源Ｖｃｃ２を遮断しているが、これは外部入力部５への制御電源Ｖｃｃ３を遮断する構成としてもよく、また両方とも遮断する構成としてもよい。
【実施例１】
【００２６】
本発明の実施例１を図６に示す。図６の基本構成並びに回路動作については従来例と同様のため重複する説明は省略する。本例においては、ハーフブリッジインバータ回路のスイッチング素子Ｑ３のスナバーコンデンサＣ７に流れる電流によって平滑コンデンサＣ４を充電することにより、制御電源Ｖｃｃ１を供給している。
【００２７】
また、本例においては図５と同様の無負荷検出回路が構成されており、その検出電圧を照度補正装置４に入力する構成となっている。無負荷検出回路の動作については前述の図５の場合と同様であり、ランプＬａが抜けてフィラメントＦ２が回路から外れた場合には照度補正装置４への検出電圧（Ｂ点の電圧）がＬｏｗレベルに下がる構成となっている。
【００２８】
ここで、照度補正装置４は図５の場合と同様に内部であらかじめ決められたしきい値を持っており、無負荷検出回路からの電圧がこのしきい値よりも下がった場合、照度補正装置４がスイッチＳ４ヘオフ信号を出力し、外部入力部５への制御電源Ｖｃｃ３の供給を遮断する。
【００２９】
これにより無負荷時は外部入力部５への制御電源の供給を遮断し、外部入力部５での電力消費を抑制する。また、照度補正装置４を負荷が外れている間はタイマー部での時間カウントをしないプログラムとすることにより、仮に無負荷時にコンデンサＣ４の電圧が規定以上であっても、時間をカウントすることがないため、実際のランプ点灯時間とタイマー部のカウント時間との誤差を少なくすることも実現できる。
【００３０】
なお、本例においては点灯時の制御電源の供給手段をインバータ回路の低圧側スイッチング素子Ｑ３のスナバーコンデンサＣ７を流れる電流から供給する手段を用いているが、これはインバータ回路の共振用インダクタＬ２の二次巻線から供給しても良いし、チョッパ回路のインダクタＬ１の二次巻線から供給してもよい。さらに、負荷の異常を検出するのに、無負荷検出回路を設ける例について述べたが、これは寿命末期検出回路を設けてもよい。さらに本例では無負荷時に外部入力部５への制御電圧Ｖｃｃ３を遮断しているが、これはインバータ制御ＩＣ３への制御電源Ｖｃｃ１を遮断する構成としてもよく、また、両方とも遮断する構成としてもよい。
【実施例２】
【００３１】
本発明の実施例２を図７に示す。図７の基本構成並びに回路動作については従来例と同様のため重複する説明は省略する。本例においては、制御電源Ｖｃｃ１の供給手段として昇圧チョッパ回路のインダクタＬ１の二次巻線Ｌ１−１を利用しており、二次巻線Ｌ１−１に発生した電圧をダイオードＤ２、抵抗Ｒ３を介して制御電源Ｖｃｃ１に供給している。また、本例においてはランプの高圧側フィラメントＦ１よりコンデンサＣ８、抵抗Ｒ９、Ｒ１０の直列回路が接続されており、抵抗Ｒ９とＲ１０の接続点にはダイオードＤ４のアノードが接続されている。さらに、ダイオードＤ４のカソードと回路グランド間にはコンデンサＣ９と抵抗Ｒ１１とツェナーダイオードＺＤ２の並列回路が接続されており、コンデンサＣ９の電圧がマイコン（照度補正装置）４の検出電圧入力端子に接続されている。そしてこれらにて寿命末期検出回路が構成されている。
【００３２】
寿命末期検出回路の動作については以下の通りである。ランプＬａのフィラメントＦ１，Ｆ２に塗布されているエミッタが減少してきて、所謂エミレス状態になる、あるいはランプのガラス管が破損した場合、ランプが放電を維持することが困難となり、ランプの等価抵抗が上昇することによって、ランプには通常時よりも非常に高い電圧が印加される。すると、抵抗Ｒ９、Ｒ１０、Ｒ１１、ダイオードＤ４によって、ランプＬａに印加される交流電圧を直流電圧に整流平滑している。この直流電圧はコンデンサＣ９の両端に発生し、ランプの交流電圧が大きくなるほど直流電圧も大きくなる。照度補正装置４の内部ではあらかじめ寿命末期を判断する検出しきい値が設定されており、このしきい値を超える電圧が検出端子に印加された場合に、寿命末期と判断してインバータの発振を停止する。これにより寿命末期を検出している。なお、ツェナーダイオードＺＤ２は照度補正装置４への入力電圧を過電圧から保護するために設けられている。また、コンデンサＣ８は片側エミレスの方向による検出電圧の差を抑えるために、直流電圧をカットする役目をしている。
【００３３】
照度補正装置４がランプＬａが寿命末期であると判断すると、照度補正装置４よりスイッチＳ２とＳ４をオフさせる制御信号を出力し、インバータ制御ＩＣ３への制御電源Ｖｃｃ１と外部入力部５への制御電源Ｖｃｃ３の供給を遮断する。本実施例は実施例１において、負荷異常時に外部入力部５への制御電源Ｖｃｃ２を遮断するというのに加えて、インバータ制御ＩＣ３への制御電源Ｖｃｃ１も遮断するというのが特徴となっている。このように、負荷異常時には外部入力部５に加えて、インバータ制御ＩＣ３への制御電源供給をも遮断するため、実施例１以上に待機電力を抑えることが実現できた。
【００３４】
なお、本例においては点灯時の制御電源をチョッパ回路のインダクタＬ１の二次巻線から供給しているが、これはインバータ回路の共振用インダクタＬ２の二次巻線から供給しても、ハーフブリッジインバータ回路の低圧側スイッチング素子のスナバーコンデンサを流れる電流から供給してもよい。さらに、負荷の異常検出手段として、寿命末期検出回路を設けているが、無負荷検出回路を設けてもよい。さらに本例ではエミレス時にインバータ制御ＩＣ３と外部入力部５の両方への制御電源を遮断しているが、遮断するのはインバータ制御ＩＣ３だけでも良いし、外部入力部５だけでも良い。
【実施例３】
【００３５】
本発明の実施例３を図８に示す。図８の基本構成並びに回路動作については従来例と同様のため重複する説明は省略する。本例においては、制御電源Ｖｃｃ１の供給手段としてインバータの共振用インダクタＬ２の二次巻線Ｌ２−１を利用しており、二次巻線Ｌ２−１に発生した電圧をダイオードＤ２、抵抗Ｒ３を介して制御電源Ｖｃｃ１に供給している。また、本実施例においては図５と同様の無負荷検出回路が構成されている。ここで、コンデンサＣ６の電圧は照度補正装置４と外部入力部５への制御電源を作る三端子レギュレータＲＧ１の入力端子と接続されている。無負荷検出回路の動作については図５と同様であり、負荷が接続されている場合にはトランジスタＱ５がオフし、レギュレータＲＧ１には制御電源Ｖｃｃ１より抵抗Ｒ８を介して電圧が与えられ、レギュレータＲＧ１にて変圧された後、照度補正装置４及び外部入力部５へ動作電源が与えられる。逆にランプＬａが抜けている場合（フィラメントＦ２が外れた場合）、コンデンサＣ５の電圧が上昇してくるため、トランジスタＱ５はオンする。するとトランジスタＱ５のコレクタ・エミッタ間がつながるため、コンデンサＣ６の電圧は低下し、レギュレータＲＧ１に入力される電圧も低下する。このため、照度補正装置４、外部入力部５へ与えられる制御電源も低下し、照度補正装置４及び外部入力部５の動作が停止する。
【００３６】
本実施例においては、照度補正装置４、外部入力部５での無駄な消費電力を抑えることが出来るうえ、異常検出回路（ここでは無負荷検出回路）によって発生する電圧によって、直接、照度補正装置４と外部入力部５を動作させたり、停止させたりするため、前述の実施例のようにインバータ制御ＩＣ３や照度補正装置４に異常状態を検出する異常検出端子を設けたり、内部にしきい値を設定したりする必要はない。
【００３７】
なお、本実施例においては点灯時の制御電源の供給手段をインバータ回路の共振用インダクタの二次巻線から供給する手段を用いているが、これはチョッパ回路のインダクタの二次巻線から供給しても良いし、インバータ回路の低圧側スイッチング素子のスナバーコンデンサから供給してもよい。さらに、負荷の異常検出手段として、無負荷検出回路を設けているが、これは上述の寿命末期検出回路でもよい。さらに本実施例では無負荷時に照度補正装置並びに外部入力部への制御電源を遮断しているが、これはインバータ制御ＩＣを含めた何れか一つだけでもよく、また何れか任意の２つを遮断する構成でもあるいは全て遮断する構成でもよい。
【実施例４】
【００３８】
本発明の実施例４を図９に示す。図９に示す回路では、商用電源ＡＣに全波整流器ＤＢ１が接続され、この全波整流器ＤＢ１にはインバータ回路及び電源回路が接続されている。インバータ回路は直列接続された二つのスイッチング素子Ｑ１、Ｑ２を備えており、一方のスイッチング素子Ｑ２の両端にはリーケージトランスＴ１の一次巻線Ｔ１−１、直流カット用コンデンサＣ１の直列回路が接続されている。さらに、リーケージトランスＴ１の二次巻線Ｔ２−２には直流カット用コンデンサＣ２と共振コンデンサＣ３の直列回路が接続され、共振コンデンサＣ３と並列に放電灯Ｌａが接続されている。共振コンデンサＣ３はリーケージトランスＴ１のリーケージインダクタンスとともに共振回路を構成する。スイッチング素子Ｑ１、Ｑ２はインバータ制御回路（インバータ制御ＩＣ）３によって交互にオン・オフを繰り返す。スイッチング電流のオン、オフ動作によりスイッチング素子Ｑ１、Ｑ２の接続点に発生する矩形波電圧により前記共振回路に共振電流が流れる。
【００３９】
次に、本実施例の動作について説明する。本実施例においては全波整流器ＤＢ１の両端間に抵抗Ｒ１→フィラメント抵抗Ｆ１→抵抗Ｒ２→フィラメント抵抗Ｆ２→抵抗Ｒ３→ダイオードＤ１→抵抗Ｒ４から成る直列回路が接続されており、抵抗Ｒ４と並列に平滑コンデンサＣ４が接続され、これらにて無負荷を検出する無負荷検出回路が構成されている。また、平滑コンデンサＣ４とダイオードＤ１との接続点はインバータ制御回路の制御電源入力部に接続されており、平滑コンデンサＣ４の電圧を制御電源Ｖｃｃ１としてインバータ制御回路３が動作する。さらに、制御電源Ｖｃｃ１はレギュレータＲＧ１の電源入力部と接続されており、このレギュレータＲＧ１にて制御電源Ｖｃｃ１を照度補正装置４の制御電源Ｖｃｃ２と外部入力部５の制御電源Ｖｃｃ３とに変圧し、各々に電源が供給される。
【００４０】
ここで、負荷が接続されている場合、整流器ＤＢ１の出力より抵抗Ｒ１→フィラメント抵抗Ｆ１→抵抗Ｒ２→フィラメント抵抗Ｆ２→抵抗Ｒ３→ダイオードＤ１を介してコンデンサＣ４が充電され、充電された電圧が制御電源Ｖｃｃ１としてインバータ制御回路３に供給されると共に、レギュレータＲＧ１を介して照度補正装置４、外部入力部５に供給されてインバータが動作する。一方、ランプＬａが外されて無負荷になった場合には、前述の平滑コンデンサＣ４を充電する電流ループが遮断されるため、平滑コンデンサＣ４に蓄えられた電荷は抵抗Ｒ４を介して放電される。これにより、制御電源Ｖｃｃ１はゼロに低下し、インバータ制御回路３、照度補正装置４、外部入力部５への制御電源は遮断されて動作は完全に停止する。
【００４１】
本例においては、無負荷検出回路と制御電源供給回路とを同一回路にしたことにより、回路の簡略化を実現することができた。しかも、本実施例においては無負荷状態になった場合には、インバータ制御回路３、照度補正装置４、外部入力部５への制御電源の供給を完全に遮断することができるため、無負荷時に待機電力をゼロにすることが実現できた。
【００４２】
なお、本実施例においては無負荷時にインバータ制御回路３、照度補正装置４、外部入力部５の全ての制御電源を遮断する構成となっているが、これは何れか一つの制御電源を遮断する構成でも良いし、また任意の２つの制御電源を遮断する構成でも良い。
【００４３】
上記各実施例において、照度補正装置４に信号を送る外部入力部５は、人の存在を検知する人感センサーであっても良いし、周囲の明るさを検知する明るさセンサーであっても良いし、その他のスイッチであっても良い。
【産業上の利用可能性】
【００４４】
本発明はオフィスや一般家庭用の照明器具に利用できる。
【図面の簡単な説明】
【００４５】
【図１】本発明の放電灯点灯装置の第１の動作説明図である。
【図２】本発明の放電灯点灯装置の第２の動作説明図である。
【図３】本発明の放電灯点灯装置の第３の動作説明図である。
【図４】本発明の放電灯点灯装置の第４の動作説明図である。
【図５】本発明の放電灯点灯装置の基本構成を示す回路図である。
【図６】本発明の実施例１の回路図である。
【図７】本発明の実施例２の回路図である。
【図８】本発明の実施例３の回路図である。
【図９】本発明の実施例４の回路図である。
【図１０】従来の放電灯点灯装置の回路図である。
【図１１】従来の放電灯点灯装置の正常点灯時の動作説明図である。
【図１２】従来の放電灯点灯装置の異常時の動作説明図である。
【符号の説明】
【００４６】
１    チョッパ回路
２    インバータ回路
３    インバータ制御ＩＣ
４    照度補正装置
５    外部入力部
６    負荷異常検出回路
Ｌａ  放電灯
【図１】
2005071840.tif 000003
【図２】
2005071840.tif 000004
【図３】
2005071840.tif 000005
【図４】
2005071840.tif 000006
【図５】
2005071840.tif 000007
【図６】
2005071840.tif 000008
【図７】
2005071840.tif 000009
【図８】
2005071840.tif 000010
【図９】
2005071840.tif 000011
【図１０】
2005071840.tif 000012
【図１１】
2005071840.tif 000013
【図１２】
2005071840.tif 000014